(57)【要約】【課題】測定装置により測定した測定値に基づく健康チェックをより容易に行うためのシステムの提供。【解決手段】例えば複数の測定装置間において、メモリカード等の可搬性を有する記憶装置を脱着可能に接続することにより、この記憶装置にそれぞれの測定値を記録させる。また、この際、上記記憶装置側において生成した現在時刻情報を上記測定値に対応づけることにより、上記測定値の測定時刻も共に記憶装置に記憶させる。これにより、それぞれの測定装置において測定した測定値、及びその測定時刻を、自動的に上記記憶装置内に収集することができる。また、上記記憶装置を、例えばパーソナルコンピュータ等に接続し、この記憶装置に収集された上記測定値・測定時刻の情報を所要の形態により出力させる。これにより収集した測定値・測定時刻の情報を何らかの形でユーザーに対して視覚的に提示できる。【選択図】　　　　図１
2004024487.tif 000002
【特許請求の範囲】
【請求項１】
測定装置と、情報を記憶可能な記憶装置とから成り、
上記測定装置に備えられ、人体に関する所定の測定対象についての測定を行って測定値を得る測定手段と、
上記測定装置と、この測定装置に装填された上記記憶装置との間で通信可能に接続する接続手段と、
上記記憶装置に備えられ、現在時刻情報を生成することのできる現在時刻情報生成手段と、
上記測定手段により得られた測定値に対して、上記現在時刻情報生成手段から取得した現在時刻情報を対応付けた測定結果情報を生成する情報生成手段と、
上記情報生成手段により生成された測定結果情報が上記記憶装置に記憶されるように制御する記憶制御手段と、
を備えていることを特徴とする情報記録システム。
【請求項２】
上記測定装置は、
現在時刻情報を生成することのできる測定装置側現在時刻情報生成手段と、
上記記憶装置側の現在時刻情報生成手段から、上記接続手段を介して取得した現在時刻情報を利用して、上記測定装置側現在時刻情報生成手段により生成される現在時刻情報の時刻合わせを行う調整手段と、
を備えていることを特徴とする請求項１に記載の記録システム。
【請求項３】
測定装置と、情報を記憶可能な記憶装置と、情報処理装置とから成り、
上記測定装置に備えられ、人体に関する所定の測定対象についての測定を行って測定値を得る測定手段と、
上記測定装置と、この測定装置に装填された上記記憶装置との間で通信可能に接続する接続手段と、
上記記憶装置に備えられ、現在時刻情報を生成することのできる現在時刻情報生成手段と、
上記測定手段により得られた測定値に対して、上記現在時刻情報生成手段から取得した現在時刻情報を対応付けた測定結果情報を生成する情報生成手段と、
上記情報生成手段により生成された測定結果情報が上記記憶装置に記憶されるように制御する記憶制御手段と、
上記情報処理装置に備えられ、上記記憶装置に記憶された測定結果情報を読み出して取得する情報取得手段と、
上記情報処理装置に備えられ、上記情報取得手段により取得した測定結果情報を、所要の出力形態により出力する情報処理手段と、
を備えていることを特徴とする情報処理システム。
【請求項４】
上記情報処理手段は、
上記情報取得手段により取得した測定結果情報を、所要の表示形態により表示出力させるための制御を実行するように構成されている、
ことを特徴とする請求項３に記載の情報処理システム。
【請求項５】
上記情報処理手段は、
上記情報取得手段により取得した測定結果情報を、ネットワークを介して接続される所要のサーバ装置に対して送信出力可能に構成されている、
ことを特徴とする請求項３に記載の情報処理システム。
【請求項６】
人体に関する所定の測定対象についての測定を行って測定値を得る測定装置に対して装填されたときに、この測定装置と通信可能に接続する接続手段と、
現在時刻情報を生成することのできる現在時刻情報生成手段と、
情報が記憶される記憶手段と、
上記測定装置により得られた測定値に対して上記現在時刻情報生成手段から取得した現在時刻情報が対応付けられた測定結果情報を得て、上記記憶手段に記憶させる記憶制御手段と、
を備えていることを特徴とする記憶装置。
【請求項７】
所定の外形形状とされる記憶装置が装填された状態で、この記憶装置と通信可能に接続することのできる接続手段と、
人体に関する所定の測定対象についての測定を行って測定値を得る測定手段と、
上記測定手段によって得られた測定値と上記記憶装置側で生成される現在時刻情報とが対応づけられた測定結果情報が、上記記憶装置側が有する記憶手段に記憶されるようにするための所要の処理を実行する処理実行手段と、
を備えていることを特徴とする測定装置。
【請求項８】
上記処理実行手段は、
上記測定手段によって得られた測定値と、上記接続手段を介して上記記憶装置側から取得した上記現在時刻情報とを対応付けて、上記測定結果情報を生成すると共に、
この生成した測定結果情報が上記記憶手段に記憶されるようにして、上記接続手段を介して上記記憶装置側に測定結果情報を転送するための処理を実行可能に構成されている、
ことを特徴とする請求項７に記載の測定装置。
【発明の詳細な説明】
【０００１】
【発明の属する技術分野】
本発明は、人体に関する所定の測定対象についての測定を行う測定装置と、この測定装置に接続されて該測定装置により測定された測定値を記憶することができる記憶装置とにより構成される情報記録システム、及び上記測定装置と上記記憶装置と情報処理装置とにより構成される情報処理システム、及びこれら測定装置、記憶装置に関するものである。
【０００２】
【従来の技術】
従来より、人体の健康状態についての測定を行う機器として、例えば体重・体脂肪率測定機、血圧測定機、体温測定機等の測定機器が一般に普及している。そして、これらの測定機器を用い、健康状態の日常的なチェックを行うことが一般的に可能とされている。
【０００３】
このようにして健康状態についてのチェックを行おうとする際、その測定結果に短期間による急激な変化が現れることは希であることから、上記のような測定機により測定した値を長期にわたって継続的に記録することが重要とされる。
また、一つの項目の測定値についてのみ記録するのではなく、他の項目の測定値についても併せて記録し、これら複数の項目の測定値から総合的な判断を試みることも重要とされている。
【０００４】
【発明が解決しようとする課題】
しかしながら、従来において、上記したような各種測定機では、測定値を所要の記録媒体に対して記録する機能は備えられているものの、このような測定値の記録機能は、自器の測定した値の記録までにとどめられている。
このため、現状では、上記のようにして異なる項目間の測定値を関連づけて記録しようと際は、それぞれの測定機において測定した値を、その都度手書きで紙に記録するとか、或いはパーソナルコンピュータに対して手動で入力して記録するようにされていた。
【０００５】
すなわち、従来では、上記のようにして各種測定機を用いて健康状態の管理を行おうとする際に、測定結果を継続的に記録するための負担が大きく、これを容易に行うことが困難であった。
【０００６】
【課題を解決するための手段】
このため、本発明では以上のような問題点に鑑み、測定装置と、情報を記憶可能な記憶装置とから成る情報記録システムとして、以下のように構成することとした。
すなわち、上記測定装置に備えられ、人体に関する所定の測定対象についての測定を行って測定値を得る測定手段と、上記測定装置と、この測定装置に装填された上記記憶装置との間で通信可能に接続する接続手段と、上記記憶装置に備えられ、現在時刻情報を生成することのできる現在時刻情報生成手段と、上記測定手段により得られた測定値に対して、上記現在時刻情報生成手段から取得した現在時刻情報を対応付けた測定結果情報を生成する情報生成手段と、上記情報生成手段により生成された測定結果情報が上記記憶装置に記憶されるように制御する記憶制御手段とを備えるようにした。
【０００７】
また、本発明では、測定装置と、情報を記憶可能な記憶装置と、情報処理装置とから成る情報処理システムとして、以下のように構成することとした。
つまり、上記測定装置に備えられ、人体に関する所定の測定対象についての測定を行って測定値を得る測定手段と、上記測定装置と、この測定装置に装填された上記記憶装置との間で通信可能に接続する接続手段と、上記記憶装置に備えられ、現在時刻情報を生成することのできる現在時刻情報生成手段と、上記測定手段により得られた測定値に対して、上記現在時刻情報生成手段から取得した現在時刻情報を対応付けた測定結果情報を生成する情報生成手段と、上記情報生成手段により生成された測定結果情報が上記記憶装置に記憶されるように制御する記憶制御手段と、上記情報処理装置に備えられ、上記記憶装置に記憶された測定結果情報を読み出して取得する情報取得手段と、上記情報処理装置に備えられ、上記情報取得手段により取得した測定結果情報を、所要の出力形態により出力する情報処理手段とを備えるようにした。
【０００８】
さらに、本発明では、記憶装置として以下のように構成することとした。
つまり、人体に関する所定の測定対象についての測定を行って測定値を得る測定装置に対して装填されたときに、この測定装置と通信可能に接続する接続手段と、現在時刻情報を生成することのできる現在時刻情報生成手段と、情報が記憶される記憶手段と、上記測定装置により得られた測定値に対して上記現在時刻情報生成手段から取得した現在時刻情報が対応付けられた測定結果情報を得て、上記記憶手段に記憶させる記憶制御手段とを備えるようにした。
【０００９】
また、さらに本発明では、測定装置として以下のように構成することとした。すなわち、所定の外形形状とされる記憶装置が装填された状態で、この記憶装置と通信可能に接続することのできる接続手段と、人体に関する所定の測定対象についての測定を行って測定値を得る測定手段と、上記測定手段によって得られた測定値と上記記憶装置側で生成される現在時刻情報とが対応づけられた測定結果情報が、上記記憶装置側が有する記憶手段に記憶されるようにするための所要の処理を実行する処理実行手段とを備えるようにした。
【００１０】
上記本発明によれば、上記測定装置において測定された測定値は、装填された記憶装置において生成される現在時刻情報と対応づけられるようになり、これにより上記測定装置において測定された測定値とその測定時刻とが対応づけられた測定結果情報が生成されるようになる。そして、このように生成された測定結果情報は、上記記憶装置において記憶されるようになる。
これにより、上記記憶装置においては、上記測定装置により測定が行われるのに応じ、測定値と、その測定時刻とが自動的に記憶されるようになる。
【００１１】
また、上記のようにして各測定装置側で測定された測定値が、記憶装置側で生成される現在時刻情報に対応づけられるようになることにより、各測定装置における測定時刻は、共通の時間軸上で管理されるようになる。
【００１２】
また、上記本発明によれば、上記記憶装置の記憶手段に記憶された測定結果情報は、この記憶装置とのデータ通信が可能に構成された情報処理装置にて所要の出力形態により出力されるようになる。
これにより、情報処理装置がアプリケーションとして有する機能を用いて、測定結果情報の内容を提示することが可能となる。
【００１３】
【発明の実施の形態】
以下、本発明における実施の形態としての情報処理システムについて説明する。説明は以下の順序で行う。
１．情報処理システムの概要
２．記憶装置の構成
３．測定装置の構成
４．情報処理装置の構成
５．測定結果情報の記録処理
６．測定結果情報の表示処理
【００１４】
１．情報処理システムの概要
図１に本実施の形態としての情報処理システムの概要を示す。
この図１において、本実施の形態の情報処理システムは、記憶装置としてのメモリカード１、及び測定装置としての血圧測定機１０、体重測定機２０、及び情報処理装置としてのパーソナルコンピュータ３０によって構成される。
【００１５】
この場合、上記メモリカード１は、固体メモリを内蔵したカード型の記憶装置とされ、可搬性を有する。また、本実施の形態の場合、このメモリカード１には、後述するようにして現在の年月日、及び時分を示す現在時刻情報を生成する部位が備えられる。
【００１６】
上記血圧測定機１０、体重測定機２０のそれぞれは、図示するようにこのメモリカード１を脱着可能に接続するための接続スロット１０ａ、２０ａを有し、それぞれの接続スロット１０ａ、２０ａに接続されたメモリカード１に対するデータの書き込み／読み出しを行うことが可能となるように構成される。
【００１７】
また、上記パーソナルコンピュータ３０においても、図のように接続スロット３０ａが設けられ、この接続スロット３０ａに脱着可能に接続されたメモリカード１に対するデータの書き込み／読み出しを行うことが可能とされる。
【００１８】
このように構成される情報処理システムにおいて、血圧測定機１０、体重測定機２０のそれぞれでは、接続スロット１０ａ、又は接続スロット２０ａにメモリカード１が装填された状態で体重値、血圧値の測定が行われる。そして、測定が終了するのに応じ、メモリカード１により生成される現在時刻情報が取得され、この現在時刻情報は、今回測定された測定値と対応づけられる。
このようにして、これら血圧測定機１０、体重測定機２０においては、今回の測定値と、この測定が行われた時点に対応する時刻情報とが対応づけられた測定結果情報が生成される。そして、この測定結果情報は、これら血圧測定機１０、体重測定機２０により上記メモリカード１に対して書き込まれるようになる。
【００１９】
パーソナルコンピュータ３０においては、接続スロット３０ａに上記メモリカード１が接続されることにより、上記測定結果情報が読み出される。そして、このようにして読み出した測定結果情報を元に、例えば測定値を血圧、体重の各項目ごとに分けて一覧表示したり、或いはそれぞれの項目の測定値について、時間軸に沿った変化をグラフにより表示する等、所要の表示態様により測定結果情報に基づいた表示を行うようにされる。
【００２０】
２．記憶装置の構成
図２は、本実施の形態のメモリカード１の内部構成を示すブロック図である。
このメモリカード１内部には、図示するように入出力インターフェイス（Ｉ／Ｏ）２、メモリコントローラ３、フラッシュメモリ４、ＲＴＣ（Ｒｅａｌ　Ｔｉｍｅ　Ｃｌｏｃｋ）５、電源供給部６が構成されている。
この図において、入出力インターフェイス２は、当該メモリカード１が接続される外部機器（血圧測定機１０、体重測定機２０、パーソナルコンピュータ３０）とのデータ通信を行うための部位である。
この入出力インターフェイス２には、図示しないデータ入出力用の端子、及び外部機器から入力される動作入力用の端子、及び外部機器からの電源の供給を受けるため端子等、必要な端子により構成される。そして、これらの端子を介し、外部機器より入力された動作電源、及び各信号をメモリコントローラ３に供給するようにされる。
【００２１】
メモリコントローラ３は、フラッシュメモリ４に対する書き込み／読み出し動作を行う。
例えば、書込動作時には、上記入出力インターフェイス２を介して外部機器から供給される動作クロックに従い、対応する端子から供給されるデータをフラッシュメモリ４へ書き込む。また読出時には、外部機器から供給される動作クロックに従ってフラッシュメモリ４からデータを読み出すと共に、これを対応する端子より外部機器に対して出力する。
【００２２】
上記メモリコントローラ３に対しては、図示するようにＲＴＣ５が備えられる。
このＲＴＣ５は、現在の年月日及び時分を示す現在時刻情報を生成する部位である。このＲＴＣ５に対しては、図のようにして電源供給部６が備えられ、この電源供給部６に対して電池が装着されることによりＲＴＣ５に動作電源が供給されるようになっている。
【００２３】
フラッシュメモリ４は、書き換え可能な不揮発性メモリとされる。
本実施の形態の場合、このフラッシュメモリ４には、前述した血圧測定機１０、体重測定機２０のそれぞれにおいて生成される測定結果情報が書き込まれるファイルが記憶される。
【００２４】
このファイルの内容としては、例えば図５に示すようなものとされる。
先ず、このフラッシュメモリ４内に記憶されるファイルとしては、図のようにその先頭となる領域に対し、ヘッダ部分として、該ファイルに対して付される名称情報が書き込まれる。
そして、以下の各行に対しては、それぞれの測定結果情報が、図示するように各測定値が測定された時点を示す時刻情報、測定値の順となるように書き込まれる。
この場合、各時刻情報の直前には、図示するように以下に続く情報が時刻情報であることを示しておくために、例えば「時刻」と書き込まれる。また、同様に各測定値の情報の直前に対しては、血圧／体重の別を示す項目情報が書き込まれる。さらに、測定値が血圧値であった場合には、図のようにそれぞれの測定値の直前には、その上限値、下限値の別を示しておくために、例えば上限値には「Ｈ」、下限値には「Ｌ」がそれぞれ書き込まれる。
なお、本実施の形態の場合、このファイル内の情報はテキスト形式により書き込まれる。
【００２５】
本実施の形態の場合、上記フラッシュメモリ４には、このような内容が書き込まれたファイルが複数記憶される。そして、これにより、例えば当該メモリカード１を複数のユーザーで共有して使用した場合に、それぞれのユーザーに対応したファイルに対して測定結果情報を記憶することができるようにされているのであるが、これについては後述する。
【００２６】
３．測定装置の構成
本発明の測定装置としては、上記した血圧測定機１０、体重測定機２０以外にも、例えば人体の体温について測定する体温測定機、或いは人体の電気抵抗等を測定することにより体脂肪率を算出する体脂肪測定機等が挙げられる。
ここでは、本発明の測定装置の構成例として、上記した血圧測定機１０の内部構成について説明する。
【００２７】
図３は、血圧測定機１０内部の要部の構成を示すブロック図である。
なお、この図においては、主に電子回路系のブロックのみについて示しており、その他の部位については省略して示している。
この図において、メモリカードインターフェイス（Ｉ／Ｆ）１１は、図１において説明した接続スロット１０ａに対して接続されたメモリカード１とのデータ通信を行うための部位である。
このメモリカードインターフェイス１１に設けられる各端子は、上記メモリカード１における入出力インターフェイス２に設けられる端子に対応したものとされ、これによりこの血圧測定機１０においては、接続されたメモリカード１に対する動作電源や動作クロック等の供給、及び各種データ受け渡しを行うことが可能とされる。
【００２８】
血圧測定部１３は、図示するマイコン（マイクロコンピュータ）１２からの制御に基づき、血圧測定に必要な実際の各種動作を行う。
例えば、この血圧測定部１３は、マイコン１２の制御に基づき、図１に示した腕帯（カフ）１０ｂにおける加圧動作を行うための、図示しない圧力ポンプを駆動・制御する。
【００２９】
血圧測定センサ１４は圧力センサとされ、上記腕帯１０ｂの圧力状態の変動を電気信号に変換する。そして、この電気信号を上記マイコン１２に対して供給するようにされる。
【００３０】
操作部１６には、当該血圧測定機１０に対する動作指示を行うための各種操作子が設けられる。
この操作部１６は、操作の行われた操作子に応じた操作信号をマイコン１２に供給する。そして、マイコン１２は、この操作信号に応じた動作が得られるよう各部を制御する。
【００３１】
表示部１５は、例えば液晶ディスプレイとされ、マイコン１２の制御に基づいた数字、文字等を表示する。
【００３２】
マイコン１２は、当該血圧測定機１０の全体制御を行う。
例えば、このマイコン１２は、操作部１６に対する操作に応じた所要の動作を実現するために、上記血圧測定部１３や血圧測定センサ１４等の必要な各部の動作を制御する。
また、例えば、上記のようにして血圧測定センサ１４より供給される電気信号に基づき、これを血圧値としての数値データに変換する。また、このような血圧測定センサ１４により測定された測定値等、所要の情報を表示させるための表示部１５に対する制御を行う。
さらに、このマイコン１２は、接続スロット１０ａに接続されたメモリカード１に対する各種データの書き込み／読み出し動作も行う。
【００３３】
また、さらに、本実施の形態の場合、このマイコン１２は、接続スロット１０ａにおいて接続されるメモリカード１から、図２において説明したＲＴＣ５により生成される現在時刻情報を取得する動作を行う。そして、このようにして取得した現在時刻情報を、上記のようにして測定した測定値と対応づけることにより、測定結果情報を生成するようにされるのであるが、これについては後述する。
【００３４】
なお、図１において示した、本実施の形態の測定装置として用いられる体重測定機２０の構成としては、この図において説明した血圧測定機１０とほぼ共通する部位として、メモリカードインターフェイス１１、マイコン１２、表示部１５、操作部１６と同等の機能を有する部位が備えられる。そして、これに加え、この体重測定機２０には、上記説明した血圧測定センサ１４に対応する部位として、少なくとも、例えば人体による圧力を電気信号に変換することにより体重の測定を行う体重測定センサが備えられている。
【００３５】
４．情報処理装置の構成例
図４は、本発明の情報処理システムを構成する情報処理装置としてのパーソナルコンピュータ３０の構成例を示すブロック図である。
先ず、図示するように、本実施の形態で用いるパーソナルコンピュータ３０は、図１において説明した接続スロット３０ａに接続されたメモリカード１とのデータ通信を行うためのインターフェイス手段として、メモリカードインターフェイス（Ｉ／Ｆ）３１を備えている。
このメモリカードインターフェイス３１には、上記血圧測定機１０の場合と同様、メモリカード１における入出力インターフェイス２に設けられる各端子に対応した複数の端子が設けられる。そして、このメモリカードインターフェイス３１は、図のようにこのパーソナルコンピュータ３０内部に備えられる内部データバスと接続される。
これにより、このパーソナルコンピュータ３０では、このメモリカードインターフェイス３１を介した上記メモリカード１とのデータ通信が可能とされる。
【００３６】
上記内部データバスには、図示するようにＲＯＭ３２、ＲＡＭ３３、ＣＰＵ３４、入出力インターフェイス３５が接続されている。
ＲＯＭ３２は、例えばファームウェアとしてＣＰＵ３４に各種処理を実行させるためのプログラムが格納されている。そして、ＲＡＭ３３にはＣＰＵ３４が各種処理を実行するのに必要なデータやプログラム等が適宜保持される。
ＣＰＵ３４は、例えば上述したＲＯＭ３２や、後述するハードディスクドライブ３９内に保持されているプログラムに従って各種処理を実行する。
【００３７】
入出力インターフェイス３６には、キーボード３６とマウス３７が接続されており、これらから供給された操作信号をＣＰＵ３４に出力するようにされている。また、この入出力インターフェイス３６には、ディスプレイ３８が接続されており、画像表示が可能とされる。
【００３８】
また、上記内部データバスには、記録媒体としてのハードディスクドライブ３９が接続されている。このハードディスクドライブ３９と上記したＣＰＵ３４が、内部データバスを介して接続されることにより、ＣＰＵ３４は、ハードディスクドライブ３９に対するデータファイルやプログラム等の記録、又は読み出しを行うことができるようにされている。
【００３９】
本実施の形態の場合、このハードディスクドライブ３９内には、図示するように測定結果表示用アプリケーション３９ａが格納される。
この測定結果表示用アプリケーション３９ａは、上記メモリカードインターフェイスを介して接続されたメモリカード１から読み出した測定結果情報を、所要の表示態様により表示する際にＣＰＵ４が実行すべきプログラムから成る。すなわち、パーソナルコンピュータ３０が本実施の形態としての動作を実行するためには、この測定結果表示用アプリケーション３９ａがあらかじめインストールされている必要がある。
【００４０】
５．測定結果情報の記録処理
上述もしたように、本実施の形態の血圧測定機１０、体重測定機２０のそれぞれは、血圧値、体重値の測定を行うのに応じて、接続されたメモリカード１内のＲＴＣ５より、現在時刻情報を取得するようにされる。さらに、このように取得した現在時刻情報と今回測定した測定値とを対応づけることにより、この測定値と、その測定時刻とを示す測定結果情報を生成するようにされる。そして、その上で、この測定結果情報を記述したファイルを、メモリカード１内のフラッシュメモリ４に対して書き込むようにされる。
【００４１】
このような動作を実現するために、上記メモリカード１内のメモリコントローラ３、及び各測定装置におけるマイコンが実行すべき処理動作について、次の図６〜図７を用いて説明する。
なお、ここでは、各測定器機側が行うべき処理動作の例として、上記血圧測定機１０による処理動作のみを例に挙げ、その他の測定装置の場合については、この図に示すものとほぼ同等となることからここでの図示は省略する。
また、これらの図において、図６では、上述したようにしてフラッシュメモリ４において複数記憶されるファイルの内、書き込みの対象となるファイルが決定されるまでの動作が示され、図７では、決定されたファイルに対して測定結果情報が書き込まれるまでの動作が示されている。
【００４２】
先ず、図６において、上記血圧測定機１０のマイコン１２は、図示するステップＳ１０１において、図３に示した接続スロット１０ａに対するメモリカード１の接続の有無を監視している。そして、上記接続スロット１０ａに対してメモリカード１が接続され、このメモリカード１とのメモリカードインターフェイス１１を介した通信が可能な状態となると、ステップＳ１０２に進む。
【００４３】
ステップＳ１０２においては、メモリカード１内のフラッシュメモリ４にアクセスし、それぞれのファイルに付されている名称情報のみを取得するようにされる。
つまり、マイコン１２は、図５において説明した各ファイルにおけるヘッダ部分に書き込まれている情報のみを抽出し、これにより各ファイルに付されている名称情報のみを取得するようにされる。
【００４４】
このようにして各ファイルに付されている名称情報を取得すると、ステップＳ１０３において、これら各名称情報を図３に示した表示部１５に表示させる。
そして、このようにして表示部１５に各名称情報を表示させた上で、続くステップＳ１０４においては、ユーザーにこれらの名称情報を選択させるようにする。この際、マイコン１２は、操作部１６に対するユーザー操作に応じて、例えば表示部１５上に表示されるカーソルを移動させる等、必要な制御動作を行うようにされる。
【００４５】
続くステップＳ１０５においては、上記ステップＳ１０４において選択された名称情報を確定する操作があったか否かを監視する。
そして、名称情報を確定する操作があった場合、ステップＳ１０６において、このように確定された名称情報を内蔵するＲＡＭ内に保持し、この名称を今回の測定対象となるユーザー名として登録する。すなわち、これにより当該血圧測定機１０においては、フラッシュメモリ４内に記憶されている各ファイルのうち、書き込み先となるファイルを認識することができるようになるものである。
このステップＳ１０８の処理動作を実行すると、次に説明する図７の処理動作に移行するようにされる。
【００４６】
続く図７において、血圧測定機１０のメインマイコン１２は、図示するステップＳ２０１において、ユーザーによる測定開始操作の有無を監視する。そして、例えば操作部１６に対して所要の操作が行われることにより、上記測定開始操作が行われたと判別された場合はステップＳ２０２に進む。
【００４７】
ステップＳ２０２においては、血圧測定部１３、及び血圧測定センサ１４等に対する制御を行って、血圧値の測定を開始する。
当該血圧測定機１０の場合、このステップＳ２０２において測定する血圧値としては、上限値と下限値の２値を測定するようにされる。すなわち、この場合、例えば前述した腕帯（カフ）１０ｂによる加圧状態を変化させるのに伴って変動する血圧値について、所定の２つの時点の血圧値を測定する。そして、これらの時点において得られた２つの血圧値を、それぞれ上限値、下限値とするものである。
【００４８】
なお、上記ステップＳ２０１、Ｓ２０２において説明したように、ここではユーザーによる測定開始操作に応じて血圧値の測定を開始するようにしたが、例えば体重測定機２０の場合には、これに代えて、例えば体重測定センサにおいて圧力が感知されるのに応じて測定を開始するようにすればよい。
【００４９】
続くステップＳ２０３においては、上記ステップＳ２０２における測定動作が終了したかを監視する。そして、測定が終了した場合は、ステップＳ２０４において、上記のようにして測定された血圧値を表示部１５に表示させる。
【００５０】
このようにして今回測定された血圧値を表示部１５に表示させると、マイコン１２は前述した測定結果情報を生成すべく、ステップＳ２０５においてメモリコントローラ３に対し現在時刻情報の送信を要求する。
そして、この送信要求を行うと、ステップＳ２０６において、メモリカード１側からの上記現在時刻情報の受信の有無を監視するようにされる。
【００５１】
メモリコントローラ３は、上記送信要求の有無を図示するステップＳ３０１において監視している。そして、このような測定装置側からの送信要求があった場合は、ステップＳ３０２に進む。
【００５２】
ステップＳ３０２においては、図２において説明したＲＴＣ５により生成される、現在の年月日、及び時刻を示す現在時刻情報を参照するようにされる。そして、このようにして参照した現在時刻情報を、ステップＳ３０３において測定装置側に送信する。
【００５３】
マイコン１２は、メモリカード１側から送信された上記現在時刻情報を受信すると、ステップＳ２０７において、受信された現在時刻情報と、上記ステップＳ２０２にて測定された測定値とを対応づけることにより、測定結果情報を生成する。
この場合、図５において説明したようにして、上記測定結果情報として生成する情報はテキスト形式に対応したものとされる。
また、上記のようにして受信された現在時刻情報の直前には、例えば「時刻」の文字データを付すようにされる。また、上記ステップＳ２０２にて測定された測定値に対しては、その直前に、この測定値の項目の別を示す項目情報（この場合は「血圧」）を付すようにされる。
さらに、この場合は上記上限値、及び下限値に対応するそれぞれの血圧値の直前に、これらの別を示す識別子（例えば上限値に対しては「Ｈ」、下限値に対しては「Ｌ」）を付すようにもされる。
【００５４】
続くステップＳ２０８においては、このようにして生成した測定結果情報を記録するために、メモリカード１内のフラッシュメモリ４にアクセスし、該当するファイルを読み出す処理を実行する。
つまり、このステップＳ２０８においては、先ず、上記図６におけるステップＳ１０６にてＲＡＭ内に記録した名称情報を元にして、上記フラッシュメモリ４内に保持されている各ファイルのヘッダ部分を参照する。そして、このヘッダ部分に、上記ＲＡＭ内に記録した名称情報と同一の名称情報が書き込まれているファイルを読み出すことにより、上記測定結果情報の書き込み先となるべきファイルを読み出すものである。
【００５５】
このようにしてフラッシュメモリ４内に保持されている各ファイルから、該当するファイルを読み出すと、ステップＳ２０９において、該ファイルを内蔵するＲＡＭ内において展開する。
そして、続くステップＳ２１０においては、このように展開したファイルの、例えば最後尾となる部分に対して上記測定結果情報を書き込み、ファイル内容を更新する。つまり、この場合、上記ファイルに対しては、生成された測定結果情報を測定の行われた順に書き込んでいくようにされるものである。
【００５６】
ステップＳ２１１においては、上記のようにして内容を更新したファイルをメモリカード１側に転送すると共に、この転送したファイルの内容が、フラッシュメモリ４内に保持されている元のファイルに上書きされるよう、上書き要求を行う。そして、これを実行すると図示するように処理動作を終了する。
【００５７】
メモリカード１側において、メモリコントローラ３は、ステップＳ３０４にて上記更新されたファイル、及び上書き要求の受信の有無を監視している。
そして、これらの情報が受信された場合は、ステップＳ３０５において、上記受信したファイルを、フラッシュメモリ４内に保持されている元のファイルに対して上書きする処理を実行する。
これにより、結果的には、上記のようにして測定装置側において生成された測定結果情報が、フラッシュメモリ４内に保持されている該当するファイル内に追記されるようになる。
【００５８】
なお、この図７の説明からも理解されるように、本実施の形態では、測定装置側がメモリカード１内において生成される現在時刻情報を取得するようにし、測定装置側が測定結果情報を生成する場合を例に挙げるものである。しかしながら、本実施の形態としては、これに代え、測定装置側は単に測定した測定値を接続されたメモリカード１に対して送信するのみとし、このように送信された測定値と現在時刻情報とを対応づけて測定結果情報を生成する動作をメモリカード１側において行うようにしてもよい。
【００５９】
さらに、上記図６〜図７の説明から理解されるように、この場合、測定装置側においては、メモリカード１が接続された状態で測定を行うようにする場合を例に挙げたが、これに代えて、測定を行った後にメモリカード１を接続し、このときに測定時において作成・保持した測定結果情報を上記メモリカード１に対して記録するようにしてもよい。
【００６０】
６．測定結果情報の表示処理
本実施の形態の情報処理システムにおいては、上記図６〜図７に示した処理動作によりメモリカード１に記録された測定結果情報を、パーソナルコンピュータ３０を介して所要の出力形態により出力することができる。
本実施の形態の場合、このパーソナルコンピュータ３０では、上記のようにしてメモリカード１内に記録された測定結果情報を読み出した上で、例えば、この測定結果情報を元に各測定値の日時の経過に沿った変化をグラフ表示する等、この測定結果情報を所要の表示態様で以て表示出力するようにされる。
すなわち、上記のようにしてメモリカード１内に記録された測定結果情報を、パーソナルコンピュータ３０等の、描画機能の比較的充実した情報処理装置において表示出力させることで、上記測定結果情報に基づく情報をユーザーが容易に視認できる形で出力するようにするものである。
【００６１】
このために、図４において説明したパーソナルコンピュータ３０内のＣＰＵ３４は、次の図８に示すような処理動作を実行するようにされる。なお、この図に示す処理動作は、図４に示したハードディスクドライブ３９において格納される、測定結果表示用アプリケーション３９ａとしてのプログラムに従ってＣＰＵ３４が実行するものである。
先ず、図示するように、ＣＰＵ３４はステップＳ４０１において、上記接続スロット３０ａに対するメモリカード１の接続の有無を監視している。そして、上記接続スロット３０ａに対してメモリカード１が接続され、このメモリカード１とのメモリカードインターフェイス３１を介した通信が可能な状態となると、ステップＳ４０２に進む。
【００６２】
ステップＳ４０２においては、上記接続スロット３０ａに接続されているメモリカード１内のフラッシュメモリ４にアクセスし、このフラッシュメモリ４内に保持されている各ファイルを取得する。この際、このようにメモリカード１側より取得した各ファイルは、図４に示したＲＡＭ３３内において展開される。
【００６３】
ステップＳ４０３においては、このように取得した各ファイルのヘッダ部分を参照し、名称情報のみを抽出するようにされる。
そして、続くステップＳ４０４においては、上記ステップＳ４０２において取得した各ファイルのうちから、表示対象となるファイルをユーザーに選択させるべく、上記抽出した各名称情報を図４に示したディスプレイ３８上に表示させる。
つまり、このステップＳ４０４においては、上記のようにして抽出した各名称情報のうちから１つの名称情報をユーザーに選択させるための操作用アイコンとして、それぞれに対応する名称情報が示されたアイコンをディスプレイ３８上に表示するようにする。
【００６４】
ステップＳ４０５においては、上記のようにしてディスプレイ３８上に表示した名称情報をユーザーに選択させる。この場合、ユーザーは、例えばマウス３７等を介した操作を行うことにより、ディスプレイ３８上に表示されているカーソルを移動させることができる。そして、このカーソルを上記各名称情報に対応した操作用アイコン上に移動させることにより、その名称情報を選択することができる。
【００６５】
続くステップＳ４０６においては、上記のようにして選択された名所情報を決定する操作があったか否かを監視する。この決定操作としては、例えば上記マウス３７に対するダブルクリック操作を監視するようにすればよい。
【００６６】
ステップＳ４０７においては、上記ステップＳ４０６において決定された名称情報が付されているファイルより測定結果情報を読み出し、この測定結果情報に基づいて各測定値を所要の表示態様によりディスプレイ３８上に表示する。
この場合、上記測定結果情報に基づいた所要の表示態様として、例えば各測定値、及びこれらの測定時刻を一覧にして示す表を表示するようにする。
すなわち、図５に示したようにして形成される測定結果情報に基づき、各測定値とその測定時刻とを、例えば測定時刻が早いものを上から順に列挙して示す表を表示するようにするものである。
この際、図５に示したようにして各測定値の直前に書き込まれている項目情報を参照することにより、血圧値、体重値のそれぞれの項目の測定値を別欄に分けて表示することができる。
【００６７】
また、上記測定結果情報に基づいた所要の表示態様として、例えば時間経過を横軸、測定値に対応する単位レベル（例えば体重であればｋｇ等）を縦軸に取ったグラフ表示を行うようにしてもよい。
つまり、上記縦軸、横軸により形成される座標上の対応する位置に、各測定値の値及びその測定時刻に従ったポイントを行い、これにより形成される各ポイント間を線で結ぶことにより、測定値の時間経過に沿った変化をグラフ化するようにするものである。
この場合も、各測定値の直前に書き込まれている項目情報を参照することにより、それぞれの項目に対応したグラフを生成することができる。また、例えば血圧値の場合であれば、図５に示したような「Ｈ」、「Ｌ」の情報を参照することにより、上限値、下限値のそれぞれに対応したグラフを生成することができる。
【００６８】
このようなステップＳ４０７の処理動作が行われることにより、パーソナルコンピュータ３０においては、上記ファイル内に書き込まれている各測定値についての日時の経過に沿った変化が、ユーザーにとって視覚的に認識し易い形でディスプレイ３８上に提示されるようになる。
【００６９】
このようなステップＳ４０７の表示処理を実行すると、ＣＰＵ３４は処理動作を終了する。
なお、ここでは、上記測定結果情報に基づいた所要の表示態様として、これらの測定結果情報を表により表示する場合、及びこれら測定結果情報に基づいたグラフ表示を行う場合を例に挙げたが、これらの表示態様は、ユーザーに対して測定値の時間経過に沿った変化を容易に視認させるための表示例の一例であって、勿論、これらに限定されるものではない。
【００７０】
以上、本実施の形態の情報処理システムについて説明した。
上述もしたように、本実施の形態の情報処理システムにおいては、メモリカード１内に、現在の年月日、及び日時を示す現在時刻情報を生成するＲＴＣ５が設けられる。そして、血圧測定機１０、体重測定機２０、パーソナルコンピュータ３０のそれぞれに対しては、接続スロット（１０ａ、２０ａ、３０ａ）、及びメモリカードインターフェイス（１１、２１、３１）が設けられ、上記メモリカード１を脱着可能に接続してデータ通信を行うことが可能とされている。
【００７１】
このように構成された上で、上記血圧測定機１０（及び体重測定機２０）においては、測定が行われるのに応じ、上記接続スロット１０ａ（２０ａ）を介して接続されたメモリカード１内において生成される現在時刻情報が取得される。そして、その上で、この現在時刻情報と、測定値とが対応づけられることにより、測定値とその測定時刻とを示す測定結果情報が生成され、この測定結果情報がメモリカード１に対して記録されるようになる。
【００７２】
これにより、上記メモリカード１には、それぞれの測定装置により測定された測定値とその測定時刻とが、測定が行われるのに応じて自動的に記憶されるようになる。
この結果、ユーザーは従来のように測定値、及びその測定時刻を例えば紙等に記録しなくとも、それぞれの項目の測定値、及び測定時刻をメモリカード１内にまとめて記録することができるようになる。
【００７３】
また、上記のようにして各測定装置で測定された測定値が、メモリカード１側で生成される現在時刻情報に対応づけられるようになることにより、各測定装置における測定時刻は、共通の時間軸により管理されるようになる。
つまり、これよっては、複数の測定装置により測定されるそれぞれの項目の測定値について、その測定時刻を共通の時間軸で管理することができるようになる。
これにより、本実施の形態の情報処理システムによっては、各測定装置により測定される測定値に対応づけるべき測定時刻の整合性を確保することができるようになる。
【００７４】
また、上述もしたように、本実施の形態の情報処理システムにおいては、上記のようにしてメモリカード１内に記録された測定結果情報を、パーソナルコンピュータ３０を介して所要の表示態様により表示することができる。そして、この表示態様として、例えば上記測定結果情報内に書き込まれているそれぞれの測定値、及びその測定時刻に基づき、各測定値の時間経過に沿った変化をグラフとして表示するようにされている。
これにより、本実施の形態の情報処理システムにおいては、メモリカード１内に記録された各測定値について、その時間経過に沿った変化をユーザーが容易に視認できる形で以て提示することができるようになる。
【００７５】
ここで、上記もしているように、本実施の形態の情報処理システムでは、異なる測定装置間において測定される測定値を記憶する共通の記憶装置としてのメモリカード１に対し、現在時刻情報を生成するＲＴＣ５を備えるようにしている。そして、これにより、それぞれ測定される測定値の測定時刻を共通の時間軸により管理することができるようにしている。
このようにして、異なる機器の間で共通となる記憶装置に対し、上記ＲＴＣ５を設けたことにより得られる効果を利用することにより、本実施の形態のメモリカード１を、時計機能を有する複数の機器間における時刻合わせ用途に使用することもできる。
【００７６】
すなわち、上記時計機能を有する複数の機器として、例えば上記血圧測定機１０、及び体重測定機２０に時計機能が備えられた場合を想定して説明すると、上記接続スロット１０ａ、２０ａに接続されたメモリカード１より現在時刻情報を取得するのに応じ、自機の生成する現在時刻情報をこの現在時刻情報に合わせ込むようにするものである。
そして、これにより、上記血圧測定機１０及び体重測定機２０のそれぞれにおいて生成される現在時刻情報を、上記メモリカード１内において生成される現在時刻情報を基準として統一化するものである。
このようにすることで、時計機能を有する複数の機器間の時刻合わせをするために、個々の機器について現在時刻情報を手動で調整していく手間を省くことができるようになる。
【００７７】
なお、ここでは上記時計機能を有する複数の機器として、測定装置としての血圧測定機１０及び体重測定機２０を例に挙げたが、本実施の形態のメモリカード１を時刻合わせ用途に適用することのできる機器としては、これら測定装置に限定されるものではない。
つまり、例えば上記メモリカード１を接続するための接続スロット、及びメモリカードインターフェイスを有する複数のデジタルスチルカメラ等、所定の記憶装置を脱着可能に接続可能とされ、複数の機器間で共通の記憶装置を使用することが想定される機器であれば、これに限定されるものではない。
【００７８】
なお、本実施の形態では、情報処理システムを構成する記憶装置として、その外形形状がカード型とされる場合を例に挙げたが、このような記憶装置の外形形状は、可搬性を有する範囲内で変更されてもよい。
【００７９】
また、本発明の記憶装置として、これまでに説明してきたような可搬性を有する記憶装置としてのメモリカード１の構成以外にも、例えば以下に説明するような構成とすることにより、本実施の形態のメモリカード１と同等の機能を実現することも可能である。
すなわち、上記メモリカード１の有する機能として、可搬性を有して異なる測定装置間に着脱可能とされる機能と、それぞれ異なる測定装置で測定された測定値を記憶する機能とを分けて構成するようにするものである。
このような構成としては、例えば前者の機能をＢｌｕｅｔｏｏｔｈ等の無線通信機能を有するアダプタにより実現し、後者の機能をこのようなＢｌｕｅｔｏｏｔｈによる通信を行うことのできるサーバ装置（パーソナルコンピュータ等）により実現する場合が例に挙げられる。
つまり、この場合、各測定装置側は、上記アダプタが接続されることにより、例えばこのアダプタを介した無線通信により上記サーバ装置にて保持される現在時刻情報を取得可能に構成する。そして、この現在時刻情報に基づいて生成した測定結果情報を、上記アダプタを介した無線通信により上記サーバ装置側が備える記憶媒体に対して記録するようにするものである。
このような構成によっても、本実施の形態のメモリカード１と同等の機能を実現することができるようになる。
【００８０】
また、本実施の形態では、情報処理システムを構成する測定装置として、血圧を測定する血圧測定機１０、及び体重を測定する体重測定機２０を例に挙げたが、本発明における測定装置としては、これ以外にも、例えば人体の体温を測定することのできる体温測定機、及び人体の体脂肪率を測定することのできる脂肪率測定機等、人体に関する所定の測定対象についての測定を行うことのできる測定装置であればこれに限定されるものではない。
【００８１】
さらに、本実施の形態では、情報処理システムを構成する情報処理装置として、パーソナルコンピュータ３０を例に挙げたが、本発明の情報処理装置としては、例えばＰＤＡ（Ｐｅｒｓｏｎａｌ　Ｄｉｇｉｔａｌ　Ａｓｓｉｓｔａｎｔ）等の他の情報処理装置とされてもよい。
【００８２】
また、本実施の形態では、パーソナルコンピュータ３０においてメモリカード１より読み出される測定結果情報の出力形態として、この測定結果情報を、所要の表示態様によりディスプレイ３８上に表示出力する場合を例に挙げた。
しかしながら、このようなパーソナルコンピュータ３０における上記測定結果情報の出力形態としては、この他にも、例えばメモリカード１より読み出した上記測定結果情報を、ネットワークを介して医療機関等の管理する所要のサーバ装置に対して送信出力するようにしてもよい。
この場合、ユーザーは、例えば上記サーバ装置側において上記測定結果情報に基づいて行われた分析結果を元に、健康チェックを確実に行うことができるようになる。
【００８３】
また、本実施の形態では、メモリカード１のフラッシュメモリ４内に保持されるファイルのヘッダ部分に対し、名称情報のみを書き込むようにしたが、このヘッダ部分に対しては、例えばユーザーの身長、性別、年齢等の他の付加情報を書き込んでおくようにしてもよい。
例えば、ファイルのヘッダ部分に対してユーザーの身長に関する情報を書き込んでおくようにすれば、例えば体重測定機２０等においては、この身長の情報に基づき、測定した体重値から肥満度を割り出すことも可能となる。
【００８４】
【発明の効果】
以上で説明したように、本発明では、測定装置側で測定された測定値を記憶しておくための記憶装置に対し、現在時刻情報を生成する現在時刻情報生成手段を備えるようにしている。そして、上記測定装置側に対しては、上記記憶装置とのデータ通信を行うための接続手段を備えるようにしている。
【００８５】
その上で、上記測定装置側において測定値が測定されるのに応じ、この測定値と、上記接続手段を介して接続された記憶装置内において生成される現在時刻情報とを対応づけることにより、この測定値とその測定時刻とが対応づけられた測定結果情報を生成するようにしている。そして、このように生成した測定結果情報を、上記のように接続されている記憶装置において記憶するようにしている。
【００８６】
これにより、ユーザーは、測定装置において測定を行うのと同時に、測定された測定値、及びその測定時刻を自動的に上記記憶装置内に取り込むことができるようになる。
この結果、ユーザーは従来のように測定値、及びその測定時刻を例えば紙等に記録しなくとも、それぞれの項目の測定値、及び測定時刻を１つの記憶装置内に記録することができるようになる。
すなわち、本発明によっては、測定装置により測定した測定値に基づく健康チェックを、より容易に行うことのできるシステムを提供することができるようになるものである。
【００８７】
また、上記のようにして測定装置側で測定された測定値を、記憶装置側で生成される現在時刻情報に対応づけるようにすることにより、本発明として使用される全ての測定装置の測定時刻を、共通の時間軸により管理することができるようになる。
つまり、本発明よっては、このようにして複数の測定装置において測定されるそれぞれの項目による測定値について、その測定時刻を共通の時間軸上で管理することができるようになるものである。
これにより、本発明によっては、それぞれの測定値に対応づけるべき測定時刻の整合性を確保することができるようになる。
【００８８】
また、本発明では、上記のようにして記憶装置に記録された測定結果情報を、この記憶装置とのデータ通信が可能に構成された情報処理装置を介することにより、所要の出力形態により出力するようにしている。
そして、上記出力形態として、例えば上記測定結果情報内に書き込まれているそれぞれの測定値、及びその測定時刻に基づいた表示を行うようにすれば、それぞれの項目の測定値について、その時間経過に沿った変化をユーザーが容易に視認できる形で以て提示することができるようになる。
すなわち、この点においても、測定装置により測定した測定値に基づく健康チェックを、より容易に行うことのできるシステムを提供することができるようになるものである。
【図面の簡単な説明】
【図１】本発明の実施の形態としての情報処理システムの概要を説明する図である。
【図２】実施の形態の記憶装置内部の要部の構成を示すブロック図である。
【図３】実施の形態の測定装置内部の要部の構成を示すブロック図である。
【図４】実施の形態の情報処理装置内部の要部の構成を示すブロック図である。
【図５】上記記憶装置内に記憶される情報について説明する図である。
【図６】本実施の形態の情報処理システムにおける、測定結果情報の記録処理動作を示すフローチャートである。
【図７】本実施の形態の情報処理システムにおける、測定結果情報の記録処理動作を示すフローチャートである。
【図８】本実施の形態の情報処理システムにおける、測定結果情報の表示処理動作を示すフローチャートである。
【符号の説明】
１　メモリカード、２　入出力インターフェイス、３　メモリコントローラ、４　フラッシュメモリ、５　ＲＴＣ、６　電源供給部、１０　血圧測定機、１１メモリカードインターフェイス、１２　マイコン、１３　血圧測定部、１４　血圧測定センサ、１５　表示部、１６　操作部、２０　体重測定機、３０　パーソナルコンピュータ、３１　メモリカードインターフェイス、３２　ＲＯＭ、３３　ＲＡＭ、３４　ＣＰＵ、３５　入出力インターフェイス、３６　キーボード、３７　マウス、３８　ディスプレイ
【図１】
2004024487.tif 000003
【図２】
2004024487.tif 000004
【図３】
2004024487.tif 000005
【図４】
2004024487.tif 000006
【図５】
2004024487.tif 000007
【図６】
2004024487.tif 000008
【図７】
2004024487.tif 000009
【図８】
2004024487.tif 000010